(57)【要約】【課題】見栄えを良好に維持しながら軒裏換気を実現することができる軒下の壁際化粧構造を提供する。【解決手段】軒下の壁際コーナー部３に、通気機能を有する見切り部材１０を覆い隠す化粧用部材２０を設ける。化粧用部材２０は、外壁面１に取り付けた複数の支持材２１と、これら支持材２１に跨って横並びに取り付けた複数の化粧材２２とを備える。化粧材２２の上端部５０を支持材２１の上側係止部２８に係止させることで、その上端部５０と軒天井面２との間に第１の通気用隙間８０を確保し、化粧材２２の下端部５１を支持材２１の下側係止部２９に係止させることで、その下端部５１と外壁面１との間に第２の通気用隙間８１を確保する。これにより、第１、第２の通気用隙間８０、８１から化粧材２２の裏側空間Ｓ２、見切り材１０を通って軒裏空間Ｓ１へ至る通気経路が形成される。【選択図】図４
2014029079.tif 000002
【特許請求の範囲】
【請求項１】
軒下における外壁面（１）と軒天井面（２）との間の壁際コーナー部（３）に、外壁面（１）と軒天井面（２）との境界部分に配設した通気機能を有する見切り部材（１０）を覆い隠す化粧用部材（２０）が設けられた軒下の壁際化粧構造であって、前記化粧用部材（２０）は、前記外壁面（１）に横方向に間隔をあけて取り付けられた複数の支持材（２１）と、これら支持材（２１）を覆い隠すようにして、これら支持材（２１）に跨って横並びに取り付けられた複数の化粧材（２２）とを備え、前記支持材（２１）は、前記外壁面（１）に固定された固定体（２５）と、この固定体（２５）の上端部付近から前記軒天井面（２）に沿って張り出した張出体（２６）とを備え、前記張出体（２６）の先端部に、前記軒天井面（２）に対して隙間をあけて上側係止部（２８）が設けられ、前記固定体（２５）の下端部に、前記外壁面（１）に対して隙間をあけて下側係止部（２９）が設けられて、前記化粧材（２２）の上端部（５０）を前記上側係止部（２８）に係止させることで、前記軒天井面（２）と前記化粧材（２２）の上端部（５０）との間に、前記化粧材（２２）の裏側空間（Ｓ２）へ外気を取り込むための第１の通気用隙間（８０）が確保され、前記化粧材（２２）の下端部（５１）を前記下側係止部（２９）に係止させることで、前記外壁面（１）と前記化粧材（２２）の下端部（５１）との間に、前記化粧材（２２）の裏側空間（Ｓ２）へ外気を取り込むための第２の通気用隙間（８１）が確保されたことを特徴とする軒下の壁際化粧構造。
【請求項２】
前記固定体（２５）の上端部に、前記張出体（２６）よりも上方へ突出した位置出し部（２７）が設けられ、この位置出し部（２７）を前記見切り部材（１０）に当接させることで、前記支持材（２１）が前記外壁面（１）の所定高さ位置に位置決めされた請求項１記載の軒下の壁際化粧構造。
【請求項３】
前記上側係止部（２８）は、前記化粧材（２２）の上端部（５０）を仮置きする仮置き部位（４４）と、この仮置き部位（４４）に仮置きされた前記化粧材（２２）の上端部（５０）を水平方向へ押し込むことで、前記化粧材（２２）の上端部（５０）を仮置き状態から係止状態へ移行させるガイド部位（４５）とを備えた請求項１又は２記載の軒下の壁際化粧構造。
【請求項４】
前記上側係止部（２８）と前記化粧材（２２）の上端部（５０）との間、及び、前記下側係止部（２９）と前記化粧材（２２）の下端部（５１）との間に、緩衝材（３８）が介在された請求項１乃至３のいずれかに記載の軒下の壁際化粧構造。
【請求項５】
前記化粧材（２２）の一方の側端部（５３）に、側方へ張り出したジョイント部（５４）が設けられ、隣接する前記化粧材（２２）の他方の側端部（５３）を前記ジョイント部（５４）に重ね合わせた状態で、前記化粧材（２２）の側端部（５３）同士が接続された請求項１乃至４のいずれかに記載の軒下の壁際化粧構造。
【請求項６】
前記化粧材（２２）における上端部（５０）と下端部（５１）との間の中間部（５２）は、前記外壁面（１）と軒天井面（２）との境界部分へ向けて凹むように湾曲され、この中間部（５２）の下端部分に、下方へ突出した水切り片（６５）が形成された請求項１乃至５のいずれかに記載の軒下の壁際化粧構造。
【請求項７】
前記化粧材（２２）における上端部（５０）に、下方へ突出した水切り片（６０）が形成された請求項６記載の軒下の壁際化粧構造。
【発明の詳細な説明】
【技術分野】
【０００１】
この発明は、主として住宅の軒下における外壁面と軒天井面との間の壁際コーナー部を装飾するための軒下の壁際化粧構造に関する。
【背景技術】
【０００２】
従来より、住宅の軒下における外壁面と軒天井面との間の壁際コーナー部に、モールディング（廻り縁）と称される化粧材を横方向に連続して設けることで、水平ラインを強調した洋風の外観とすることが行われている。
【０００３】
このような化粧材の施工に際して、外壁面と軒天井面との境界部分に見切り材が配設されていると、この見切り材を覆い隠すようにして化粧材を取り付けるようにしている。
【０００４】
ところが、見切り材としては、軒裏換気のため（軒裏空間へ外気を取り込むため）の通気口が形成されたものがあり、このような通気機能を有する見切り材を単なる化粧材によって覆い隠してしまうと、通気効率が悪くなって、軒裏換気に支障をきたすことがあった。
【０００５】
化粧材としては、通気口が形成されたものが提案されている（例えば、特許文献１参照。）。この種の化粧材を使用することで、通気機能を有する見切り材を覆い隠しても、軒裏空間へ外気を導く通気経路が確保されて、軒裏換気を支障なく行うことができる。
【先行技術文献】
【特許文献】
【０００６】
【特許文献１】特開平９−１２５５８８号公報
【発明の概要】
【発明が解決しようとする課題】
【０００７】
しかしながら、化粧材に通気口を形成する場合には、化粧材の形状の自由度が制限されて、化粧材のデザイン性が損なわれるとともに、場合によっては外部から通気口が見えてしまって、見栄えが悪くなることもあった。
【０００８】
かといって、通気口の開口面積を極力小さくしたり、通気口の個数を極力減らすようにすると、通気効率が悪くなって、軒裏換気に支障をきたすといった不具合があった。
【０００９】
一方、化粧材を外壁面から僅かに離間させた状態で、軒天井面に取り付けることで、外壁面と化粧材との間に通気用隙間を確保したり、化粧材を軒天井面から僅かに離間させた状態で、外壁面に取り付けることで、軒天井面と化粧材との間に通気用隙間を確保することもある。
【００１０】
この場合には、化粧材に通気口を形成しなくても済むことになり、しかも通気用隙間は横方向に連続して配されるので、外部から見えることがあっても違和感を与えることはないが、通気用隙間を良好に確保しながらの化粧材の取付作業は煩雑であって、化粧材の新設だけでなく、化粧材の付け直しを伴う交換やメンテナンスも面倒になっていた。さらに、化粧材は片持ち支持された不安定な状態で取り付けられることから、化粧材に揺れやガタ付きが生じ易くなるといった不具合もあった。
【００１１】
この発明は、上記の不具合を解消して、デザイン性に優れた化粧材を簡単且つ安定して取り付けることができ、見栄えを良好に維持しながら軒裏換気を実現することができる軒下の壁際化粧構造の提供を目的とする。
【課題を解決するための手段】
【００１２】
上記課題を解決するため、この発明の軒下の壁際化粧構造は、軒下における外壁面１と軒天井面２との間の壁際コーナー部３に、外壁面１と軒天井面２との境界部分に配設した通気機能を有する見切り部材１０を覆い隠す化粧用部材２０が設けられたものであって、前記化粧用部材２０は、前記外壁面１に横方向に間隔をあけて取り付けられた複数の支持材２１と、これら支持材２１を覆い隠すようにして、これら支持材２１に跨って横並びに取り付けられた複数の化粧材２２とを備え、前記支持材２１は、前記外壁面１に固定された固定体２５と、この固定体２５の上端部付近から前記軒天井面２に沿って張り出した張出体２６とを備え、前記張出体２６の先端部に、前記軒天井面２に対して隙間をあけて上側係止部２８が設けられ、前記固定体２５の下端部に、前記外壁面１に対して隙間をあけて下側係止部２９が設けられて、前記化粧材２２の上端部５０を前記上側係止部２８に係止させることで、前記軒天井面２と前記化粧材２２の上端部５０との間に、前記化粧材２２の裏側空間Ｓ２へ外気を取り込むための第１の通気用隙間８０が確保され、前記化粧材２２の下端部５１を前記下側係止部２９に係止させることで、前記外壁面１と前記化粧材２２の下端部５１との間に、前記化粧材２２の裏側空間Ｓ２へ外気を取り込むための第２の通気用隙間８１が確保されたことを特徴とする。
【００１３】
そして、前記固定体２５の上端部に、前記張出体２６よりも上方へ突出した位置出し部２７が設けられ、この位置出し部２７を前記見切り部材１０に当接させることで、前記支持材２１が前記外壁面１の所定高さ位置に位置決めされている。
【００１４】
また、前記上側係止部２８は、前記化粧材２２の上端部５０を仮置きする仮置き部位４４と、この仮置き部位４４に仮置きされた前記化粧材２２の上端部５０を水平方向へ押し込むことで、前記化粧材２２の上端部５０を仮置き状態から係止状態へ移行させるガイド部位４５とを備えている。
【００１５】
さらに、前記上側係止部２８と前記化粧材２２の上端部５０との間、及び、前記下側係止部２９と前記化粧材２２の下端部５１との間に、緩衝材３８が介在されている。
【００１６】
また、前記化粧材２２の一方の側端部５３に、側方へ張り出したジョイント部５４が設けられ、隣接する前記化粧材２２の他方の側端部５３を前記ジョイント部５４に重ね合わせた状態で、前記化粧材２２の側端部５３同士が接続されている。
【００１７】
さらにまた、前記化粧材２２における上端部５０と下端部５１との間の中間部５２は、前記外壁面１と軒天井面２との境界部分へ向けて凹むように湾曲され、この中間部５２の下端部分に、下方へ突出した水切り片６５が形成されている。さらに、前記化粧材２２における上端部５０に、下方へ突出した水切り片６０が形成されている。
【発明の効果】
【００１８】
この発明においては、住宅等の軒下における外壁面と軒天井面との間の壁際コーナー部に設けた化粧用部材によって、水平ラインを強調した洋風の外観とすることができる。しかも、軒天井面と化粧材の上端部との間に第１の通気用隙間が確保され、外壁面と化粧材の下端部との間に第２の通気用隙間が確保されているので、第１、第２の通気用隙間から化粧材の裏側空間、通気機能を有する見切り部材を通って軒裏空間へ至る通気経路が形成され、この通気経路を通じて外気を軒裏空間へ導くことができ、軒裏換気も良好に行うことができる。
【００１９】
さらに、第１、第２の通気用隙間は、化粧材の上端部や下端部に沿って横方向に連続して配されることから、外部から見えることがあっても違和感を与えることはなく、見栄えを良好に維持することができる。さらにまた、化粧材に通気口を形成しなくても済むことから、化粧材の形状の自由度が制限されず、化粧材のデザイン性を高めることができる。
【００２０】
加えて、外壁面に先付けした支持材に化粧材を取り付けることで、第１、第２の通気用隙間が自ずと良好に確保され、しかも化粧材の取付状態においては、化粧材の上端部及び下端部が支持材に係止されていることから、化粧材を簡単且つ安定して取り付けることができ、化粧材の付け直しを伴う交換やメンテナンスも容易に行うことができる。
【００２１】
また、位置出し部を利用して、支持材を外壁面の所定高さ位置に位置決めすることで、化粧材を精度良く取り付けることができ、見栄えが良好になるとともに、施工性の向上も図ることができる。
【００２２】
さらに、仮置き部位及びガイド部位を利用して、化粧材の上端部を支持材の上側係止部に係止させることで、施工性のより一層の向上を図ることことができ、しかも仮置き部位及びガイド部位は、化粧材の上端部の脱落防止にも寄与することから、安全性の向上も図ることができる。
【００２３】
また、支持材と化粧材との係止部位に緩衝材を介在させることで、風雨等による化粧材のガタ付きに伴う音鳴りを防止することができる。さらに、隣接する化粧材の側端部同士の接続に際して、ジョイント部を裏支えとして用いることで、これら側端部間に生じる目地隙間をジョイント部によって塞いで見栄えを向上することができ、しかも側端部同士が強固に接続されて、化粧材をより一層安定して取り付けることができる。さらにまた、化粧材における湾曲状の中間部の下端部分、さらには化粧材における上端部に、下方へ突出した水切り片を適宜形成することで、化粧材の下端部や裏側空間への雨水の回り込みを防止して、防水性を高めることができる。
【図面の簡単な説明】
【００２４】
【図１】この発明の一実施形態に係る軒下の壁際化粧構造を示す斜視図である。
【図２】同じくその分解斜視図である。
【図３】同じくその支持材部分の分解斜視図である。
【図４】同じくその縦断面図である。
【図５】支持材の側面図である。
【図６】化粧材の側面図である。
【図７】化粧材の上端部の仮置き状態を説明する図である。
【図８】化粧材の上端部の仮置き状態から係止状態への移行を説明する図である。
【発明を実施するための形態】
【００２５】
以下、この発明の実施形態を図面に基づいて詳細に説明する。この発明の一実施形態に係る軒下の壁際化粧構造においては、図１乃至図４に示すように、住宅の軒下における外壁面１と軒天井面２との間の壁際コーナー部３に、外壁面１と軒天井面２との境界部分に配設した通気機能を有する見切り部材１０を覆い隠すようにして、化粧用部材２０を水平ライン状に設けている。
【００２６】
図４において、４は外壁板、５は軒天井板、６は軒裏野縁、７は野縁受プレートである。そして、外壁面１は、外壁板４の垂直な外面であり、軒天井面２は、軒天井板５の水平な下面である。外壁面１と軒天井面２との間の境界部分には、隙間が設けられている。なお、軒天井面２は、勾配を有していても良い。
【００２７】
見切り部材１０は、例えば金属製であって、図４に示すように、外壁面１と軒天井面２との境界部分（隙間）に沿って横方向に間隔をあけて配された複数の短尺の固定材１１と、これら固定材１１に跨って横並びに取り付けられた複数の長尺の見切り材１２とを備えている。
【００２８】
固定材１１は、上側横片１３と、下側横片１４と、これら横片１３、１４同士を連結する縦片１５とによって略コ字状に形成され、上側横片１３と縦片１５とのコーナー部には、係止爪１６が突設されている。そして、この固定材１１においては、上側横片１３が軒裏野縁６の下面に固定されて、横向きの溝部に軒天井板５の壁際端部が差し入れられている。
【００２９】
見切り材１２は、縦片１８と、この縦片１８の下端部から軒天井面２に沿って張り出した横片１９とによって略Ｌ字状に形成され、横片１９には、複数のスリット状の通気口１２ａが形成されている。そして、この見切り材１２は、縦片１８の上端部が固定材１１の係止爪１６に係合され、横片１９の先端部が固定材１１の下側横片１４の先端部に係合されて、固定材１１の縦片１５及び下側横片１４に下方から被さるようにして取り付けられている。
【００３０】
上記の見切り部材１０においては、壁面１と軒天井面２との境界部分（隙間）を見切り材１２の横片１９によって塞いでいるが、横片１９には複数の通気口１２ａが形成されているので、軒天井板５の上側の空間（軒裏空間）Ｓ１と軒天井板５の下側の空間（後述する化粧材の裏側空間）Ｓ２とは通気口１２ａを介して連通状態となっている。
【００３１】
化粧用部材２０は、例えば金属製であって、図２乃至図４に示すように、外壁面１に横方向に間隔をあけて取り付けられた複数の短尺の支持材２１と、これら支持材２１を覆い隠すようにして、これら支持材２１に跨って横並びに取り付けられた複数の長尺の化粧材２２とを備えている。
【００３２】
支持材２１は、図３及び図４に示すように、外壁面１に固定された固定体２５と、この固定体２５の上端部付近から軒天井面２に沿って張り出した張出体２６とを備えている。そして、固定体２５の上端部には、張出体２６よりも上方へ突出した位置出し部２７が設けられ、この位置出し部２７を見切り材１２の下面に当接させることで、支持材２１が外壁面１の所定高さ位置に位置決めされるようになっている。また、張出体２６の先端部には、化粧材２２の上端部５０が係止される上側係止部２８が設けられ、固定体２５の下端部には、化粧材２２の下端部５１が係止される下側係止部２９が設けられている。
【００３３】
具体的に、固定体２５は、図５に示すように、垂直基片３０と、この垂直基片３０の下端部から外壁面１に対して離間する方向へ向けて延出した第１水平片３１と、この第１水平片３１の先端部から下方へ向けて延出した垂直片３２と、この垂直片３２の下端部から外壁面１に対して離間する方向へ向けて延出した後、下方へ向けて延出したＬ形片３３と、このＬ形片３３の下端部から外壁面１に対して離間する方向へ向けて延出した第２水平片３４と、この第２水平片３４の先端部から上方へ向けて延出した立ち上がり片３５とを備えている。
【００３４】
そして、垂直基片３０の張出体２６よりも上方へ突出した上端部によって上記の位置出し部２７が構成され、Ｌ形片３３及び第２水平片３４及び立ち上がり片３５によって上記の下側係止部２９が構成されている。また、垂直基片３０には、複数の縦長のビス挿通孔３６が形成されている。さらに、立ち上がり片３５には、その幅方向中央付近においてビス孔３７が形成されていて、幅方向の略全長に亘って例えば弾発性を有する発泡樹脂等からなる緩衝材３８が貼り付けられている。
【００３５】
張出体２６は、図５に示すように、水平基片４０と、この水平基片４０の先端部から上方へ向けて延出した垂直片４１と、この垂直片４１の上端部から外壁面１に対して離間する方向へ向けて延出した湾曲片４２と、この湾曲片４２の下端部から上方へ向けて延出した立ち上がり片４３とを備えている。
【００３６】
そして、垂直片４１及び湾曲片４２及び立ち上がり片４３によって上記の上側係止部２８が構成されている。この上側係止部２８は、化粧材２２の上端部５０を仮置きする仮置き部位４４と、この仮置き部位４４に仮置きされた化粧材２２の上端部５０を水平方向（外壁面１に対して近接する方向）へ押し込むことで、化粧材２２の上端部５０を仮置き状態から係止状態へ移行させるガイド部位４５とを備えている。仮置き部位４４は、湾曲片４２と立ち上がり片４３との間に形成された略Ｖ字状の係合溝によって構成され、ガイド部位４５は、湾曲片４２の上面によって構成されている。また、立ち上がり片４３には、その幅方向の略全長に亘って例えば弾発性を有する発泡樹脂等からなる緩衝材３８が貼り付けられている。
【００３７】
化粧材２２は、図３及び図４に示すように、上端部５０と下端部５１との間の中間部５２が、外壁面１と軒天井面２との境界部分へ向けて凹むように湾曲されていて、一方の側端部５３には、隣接する化粧材２２の他方の側端部５３を重ね合わせるジョイント部５４が側方へ張り出すようにして設けられている。
【００３８】
具体的に、化粧材２２の上端部５０は、図６に示すように、中間部５２の上端部分から上方へ向けて延出した第１垂直片５５と、この第１垂直片５５の上端部から外壁面１に対して離間する方向へ向けて延出した第１水平片５６と、この第１水平片５６の先端部から上方へ向けて延出した第２垂直片５７と、この第２垂直片５７の上端部から外壁面１に対して近接する方向へ向けて延出した第２水平片５８と、この第２水平片５８の先端部から下方へ向けて延出した垂下片５９とを備えている。なお、第２垂直片５７の下端部は、第１水平片５６よりも下方へ僅かに突出しており、この突出部分が水切り片６０とされている。
【００３９】
化粧材２２の下端部５１は、中間部５２の下端部分から外壁面１に対して近接する方向へ向けて延出した第１水平片６１と、この第１水平片６１の先端部から下方へ向けて延出した垂直片６２と、この垂直片６２の下端部から外壁面１に対して近接する方向へ向けて延出した第２水平片６３と、この第２水平片６３の先端部から外壁面１に対して離間する方向へ向けて折り返されるように延出した屈曲片６４とを備えている。
【００４０】
また、化粧材２２の中間部５２の下端部分は、下端部５１の第１水平片６１よりも下方へ僅かに突出しており、この突出部分が水切り片６５とされている。さらに、図３に示すように、ジョイント部５４の下端部分には、支持材２１のビス孔３７に対応した横長のビス挿通孔６６が形成され、また化粧材２２の他方の側端部５３の下端部分（下端部５１の垂直片６２）には、支持材２１のビス孔３７に対応したビス挿通孔６７が形成されている。
【００４１】
次に、上記構成の化粧用部材２０の壁際コーナー部３への施工について説明する。まず、複数の支持材２１を、外壁面１に横方向に間隔をあけて取り付ける。支持材２１の取り付けに際しては、位置出し部２７を見切り材１２の下面に当接させることで、外壁面１の所定高さ位置に位置決めして、この位置決め状態から、ビス挿通孔３６に挿通させた複数のビス７０を外壁板４にねじ込むことで、固定体２５の垂直基片３０を外壁面１に重ね合わせるようにして、外壁面１に取り付けている。なお、ビス７０のねじ込み位置は、縦長のビス挿通孔３６の範囲内において上下方向に調整可能となっていて、外壁板４に凹凸柄が刻設されている場合、その凹凸を適宜回避しながらビス７０をねじ込むことができる。
【００４２】
この支持材２１の取付状態において、上側係止部２８は軒天井面２に対して隙間をあけて配され、下側係止部２９は外壁面１に対して隙間をあけて配されている。
【００４３】
続いて、複数の化粧材２２を、支持材２１に跨って横並びに取り付ける。化粧材２２の取り付けに際しては、まず化粧材２２の上端部５０の垂下片５９を、隣接する支持材２１の上側係止部２８の仮置き部位４４に跨るように引っ掛けて、化粧材２２の上端部５０を仮置きする（図７参照）。
【００４４】
次に、この仮置き状態から、化粧材２２の上端部５０を水平方向（外壁面１に対して近接する方向）へ押し込むと、化粧材２２の上端部５０の垂下片５９が、支持材２１の上側係止部２８のガイド部位４５に沿ってスライドして、支持材２１の上側係止部２８の垂直片４１裏側に落し込まれ、これによって化粧材２２の上端部５０が支持材２１の上側係止部２８に係止した係止状態となる（図８参照）。このとき、支持材２１の上側係止部２８の緩衝材３８に、化粧材２２の上端部５０の第１垂直片５５が当接して、支持材２１の上側係止部２８と化粧材２２の上端部５０との間に緩衝材３８が介在された状態となる。
【００４５】
なお、仮置き部位４４は、化粧材２２の上端部５０の脱落を防止する機能も有している。すなわち、化粧材２２の垂下片５９が支持材２１の垂直片４１から外れてしまっても、化粧材２２の垂下片５９が仮置き部位４４に引っ掛かることで、化粧材２２の上端部５０が脱落しないようになっている。
【００４６】
そして、化粧材２２の上端部５０の係止状態から、化粧材２２の下端部５１を水平方向（外壁面１に対して近接する方向）へ押し込むと、化粧材２２の下端部５１の屈曲片６４が支持材２１の下側係止部２９のＬ形片３３に嵌合して、これによって化粧材２２の下端部５１が支持材２１の下側係止部２９に係止した係止状態となる（図４参照）。このとき、支持材２１の下側係止部２９の緩衝材３８に、化粧材２２の下端部５１の垂直片６２が当接して、支持材２１の下側係止部２９と化粧材２２の下端部５１との間に緩衝材３８が介在された状態となる。
【００４７】
このようにして、化粧材２２を支持材２１に跨って係止した状態において、化粧材２２の他方の側端部５３は、先付けした化粧材２２のジョイント部５４に重ね合わされる。このとき、支持材２１のビス孔３７、ジョイント部５４のビス挿通孔６６、他方の側端部５３のビス挿通孔６７が互いに重なり合っていて、正面側からビス挿通孔６６、６７に挿通させたビス７１をビス孔３７にねじ込むことで、化粧材２２の他方の側端部５３を、支持材２１にビス止めするとともに、先付けした化粧材２２の一方の側端部５３に接続する（図３参照）。また、化粧材２２の一方の側端部５３においては、そのジョイント部５４に後付けした化粧材２２の他方の側端部５３が重ね合わされる。このときも上記と同様に、支持材２１のビス孔３７、ジョイント部５４のビス挿通孔６６、他方の側端部５３のビス挿通孔６７が互いに重なり合っていて、ビス挿通孔６６、６７に挿通させたビス７１をビス孔３７にねじ込むことで、化粧材２２の一方の側端部５３を、支持材２１にビス止めするとともに、後付した化粧材２２の他方の側端部５３に接続する（図３参照）。なお、ジョイント部５４のビス挿通孔６６が横長に形成されていることから、化粧材２２の熱伸縮をビス挿通孔６６の範囲内において吸収することができ、また多少の寸法誤差や施工誤差が生じていても、ビス孔３７、ビス挿通孔６６、ビス挿通孔６７を互いに重ね合わせることができる。
【００４８】
この化粧材２２の取付状態において、支持材２１の上側係止部２８に係止した上端部５０と軒天井面２との間には、化粧材２２の裏側空間Ｓ２へ外気を取り込むための第１の通気用隙間８０が確保され、支持材２１の下側係止部２９に係止した下端部５１と外壁面１との間には、化粧材２２の裏側空間Ｓ２へ外気を取り込むための第２の通気用隙間８１が確保されている。
【００４９】
上記のようにして、住宅の軒下における外壁面１と軒天井面２との間の壁際コーナー部３に化粧用部材２０を設けることで、水平ラインを強調した洋風の外観とすることができ、また第１の通気用隙間８０及び第２の通気用隙間８１から化粧材２２の裏側空間Ｓ２、見切り材１２の通気口１２ａを通って軒裏空間Ｓ１へ至る通気経路が形成され、この通気経路を通じて外気を軒裏空間Ｓ１へ導くことができることから、軒裏換気も良好に行うことができる。
【００５０】
以上に、この発明の実施形態について説明したが、この発明は、上記実施形態に限定されるものではなく、この発明の範囲内で種々変更して実施することが可能である。
【符号の説明】
【００５１】
１・・外壁面、２・・軒天井面、３・・壁際コーナー部、１０・・見切り部材、２０・・化粧用部材、２１・・支持材、２２・・化粧材、２５・・固定体、２６・・張出体、２７・・位置出し部、２８・・上側係止部、２９・・下側係止部、３８・・緩衝材、４４・・仮置き部位、４５・・ガイド部位、５０・・化粧材の上端部、５１・・化粧材の下端部、５２・・化粧材の中間部、５３・・化粧材の側端部、５４・・ジョイント部、６０、６５・・水切り片、８０・・第１の通気用隙間、８１・・第２の通気用隙間、Ｓ２・・裏側空間
【図１】
2014029079.tif 000003
【図２】
2014029079.tif 000004
【図３】
2014029079.tif 000005
【図４】
2014029079.tif 000006
【図５】
2014029079.tif 000007
【図６】
2014029079.tif 000008
【図７】
2014029079.tif 000009
【図８】
2014029079.tif 000010